(57)【特許請求の範囲】
【請求項１】
建物の棟部における瓦組構造であって、
建物の棟木の上部に棟木と平行に固定される横木と、２枚の平板の上端部を重ね合わせ、下端部で前記横木を挟むように形成された留め部材と、により構成され、該建物の棟木の上部に固定される支持体と、
前記支持体の両側面に各々固定される、一端が棟下桟瓦に載置され、他端が支持体の側面に固定される１組の面戸瓦と、
前記支持体の両側面に各々段組固定される、一端が棟下桟瓦側に配置され、他端が支持体の側面に固定される複数の熨斗瓦と、
前記支持体の両側面各々における最上段の熨斗瓦に架設される冠瓦と、
を含む、棟部の瓦組構造。
【請求項２】
建物の棟部における瓦組構造であって、
建物の棟木の上部に固定される支持体と、
前記支持体の両側面各々の下端に棟木と平行に固定される留め木と、
前記支持体の両側面各々に固定される、一端が棟下桟瓦に載置され、他端が前記留め木を介して支持体に固定される面戸瓦と、
前記支持体の両側面に各々段組固定される、一端が棟下桟瓦側に配置され、他端が支持体の側面に固定される複数の熨斗瓦と、
前記支持体の両側面各々における最上段の熨斗瓦に架設される冠瓦と、
を含む、棟部の瓦組構造。
【請求項３】
前記面戸瓦は、
略平板状に形成された傾斜部と、
前記傾斜部の棟側の端部が傾斜部に対して起立しており、前記支持体に固定するための貫通孔を設けた固定部と、
前記傾斜部の軒側の端部が、棟下桟瓦に当接する垂下片と、
により構成される請求項１または２に記載の棟部の瓦組構造。
【請求項４】
前記熨斗瓦は、
略平板状に形成された傾斜部と、
前記傾斜部の棟側の端部が、傾斜部に対して起立しており、前記支持体に固定するための貫通孔を設けた固定部と、
前記傾斜部の軒側の端部が、下方に屈曲している鉤片と、
により構成される請求項１または２に記載の棟部の瓦組構造。
【請求項５】
前記支持体における、両側面各々に通気用の縦溝を設けたことを含む、請求項１乃至４のいずれか１項に記載の棟部の瓦組構造。
【請求項６】
前記支持体が、棟木に固定されたボルトによって固定される支持体固定構造を含む、請求項１乃至請求項５のいずれか１項に記載の棟部の瓦組構造。
【発明の詳細な説明】
【０００１】
【発明の属する技術分野】
本発明は、建物の棟部に施工する面戸瓦、熨斗瓦、及び棟部の瓦組構造に関する。
【０００２】
【従来の技術】
家屋における屋根は、雨を防ぐことが最大の目的であるが、突風や地震による屋根部材の飛散を防止することや、家屋の断熱や通気性のことにも配慮して施工することが必要である。
【０００３】
図９に示されるように、和風家屋に多く用いられている瓦葺きの屋根では、家屋の棟部に、面戸瓦の上に数枚の熨斗瓦を棟土と共に積み重ねて、その上に冠瓦を載置し、緊結線で冠瓦と熨斗瓦を括りあげる形式の瓦葺き（通称大まわし）が行われている。この大まわしにおいては、重ね合わされた熨斗瓦は、冠瓦と共に緊結線で固定されているだけであり、その緊結線がさらに何か別の物に固定されているわけではない。
【０００４】
よって、台風による強風や地震等により、緊結線が切れたり外れたりして、棟部に葺かれた瓦が落下することも起きていた。また、落下せずとも、瓦がずれてしまい、そのずれた位置から雨水が浸入し雨漏りを起こしていた。
【０００５】
また、瓦葺きに用いられている棟土は、冠瓦、熨斗瓦、面戸瓦が重ね合わされている内側に隙間無く盛られている。この棟土を盛るためには、屋根の棟部まで重い棟土を運び上げなければならず、労力がかかると共に、家屋の構造自体を堅牢なものにしなければならないので、建築コストが高かった。また、棟土が隙間無く盛られているので、棟部から空気が出入りすることができず、特に寄せ棟や方行と呼ばれる屋根構造においては、屋根裏及び野地板と桟瓦の間の空間における通気性が悪かった。
【０００６】
更に、従来の土葺き工法（棟部に棟土を使用して熨斗瓦を積み上げる方法）においては、棟土の水分を熨斗瓦が吸い取ることにより、湿った棟土を乾燥させると共に、棟土と熨斗瓦の密着度を上げていた。しかしながら、最近の熨斗瓦は、瓦自体の強度と耐久性を向上させるため、瓦に特殊な釉薬を塗りつけたり、瓦を焼き締めにより堅牢なものにしたりすることで、瓦自体が水分を吸収しなくなっている。
【０００７】
よって、従来の土葺きの工法に水分を吸収しない熨斗瓦を使用することにより、棟土の水分を瓦が吸い取らず棟土の乾燥を遅らせるばかりか、棟土と熨斗瓦との密着性が低下し、少しの衝撃でも棟土と熨斗瓦が崩れ落ちてしまっていた。更に、熨斗瓦の表面に水分が付着して結露することで、野地板を早く腐らせてしまうという悪影響があった。
【０００８】
【発明が解決しようとする課題】
本発明においては、台風による強風や地震に強く、また棟部に雨水が浸入するのを防ぐ、棟部に施工する瓦を提供すること。また、台風による強風や地震に強く、棟部に雨水が浸入するのを防ぎ、通気性も良好である棟部の瓦組構造を提供すること、更に、台風による強風や地震に強く、建築コストが安く済む棟部の瓦組構造を提供することにある。
【０００９】
【課題を解決するための手段】
本発明の棟部の瓦組構造は、建物の棟部における瓦組構造であって、建物の棟木の上部に棟木と平行に固定される横木と、２枚の平板の上端部を重ね合わせ、下端部で前記横木を挟むように形成された留め部材と、により構成され、該建物の棟木の上部に固定される支持体と、前記支持体の両側面に各々固定される、一端が棟下桟瓦に載置され、他端が支持体の側面に固定される１組の面戸瓦と、前記支持体の両側面に各々段組固定される、一端が棟下桟瓦側に配置され、他端が支持体の側面に固定される複数の熨斗瓦と、前記支持体の両側面各々における最上段の熨斗瓦に架設される冠瓦と、を含む。
【００１０】
本発明の棟部の瓦組構造は、建物の棟部における瓦組構造であって、建物の棟木の上部に固定される支持体と、前記支持体の両側面各々の下端に棟木と平行に固定される留め木と、前記支持体の両側面各々に固定される、一端が棟下桟瓦に載置され、他端が前記留め木を介して支持体に固定される面戸瓦と、前記支持体の両側面に各々段組固定される、一端が棟下桟瓦側に配置され、他端が支持体の側面に固定される複数の熨斗瓦と、前記支持体の両側面各々における最上段の熨斗瓦に架設される冠瓦と、を含む。
【００１１】
本発明の棟部の瓦組構造は、前記面戸瓦は、略平板状に形成された傾斜部と、前記傾斜部の棟側の端部が傾斜部に対して起立しており、前記支持体に固定するための貫通孔を設けた固定部と、前記傾斜部の軒側の端部が、棟下桟瓦に当接する垂下片と、により構成されてもよい。
【００１２】
本発明の棟部の瓦組構造は、前記熨斗瓦は、略平板状に形成された傾斜部と、前記傾斜部の棟側の端部が、傾斜部に対して起立しており、前記支持体に固定するための貫通孔を設けた固定部と、前記傾斜部の軒側の端部が、下方に屈曲している鉤片と、により構成され得る。
【００１３】
本発明の棟部の瓦組構造は、前記支持体における、両側面各々に通気用の縦溝を設けてもよい。
【００１４】
本発明の棟部の瓦組構造は、前記支持体が、棟木に固定されたボルトによって固定される支持体固定構造を含み得る。
【００１５】
【発明の実施の形態】
本発明における第１の実施の形態を、図１を用いて説明する。図１は、本発明における棟部（大棟部分）の瓦組構造１０を示す断面図である。最初に本発明の棟部の瓦組構造１０について説明する。以下で説明する瓦の枚数は、図１で表される断面図で示される断面方向の枚数である。本発明は、家屋の棟部の上部に固定された支持体１２と、支持体１２の両側面に固定されている、一端が桟瓦に載置され、他端が支持体１２の側面に固定される２枚の面戸瓦１６と、支持体１２の両側面に段組固定されている、一端が面戸瓦１６側に載置され、他端が支持体１２の側面に固定されている６枚の熨斗瓦１８と、支持体１２の両側面における最上段の熨斗瓦１８に架設される冠瓦２０とから構成されている。
【００１６】
家屋における棟木２２は、図１に示すように、家屋における大棟部分を左右に分けるところに位置している。支持体１２はこの棟木２２の中心の上部に棟木２２と平行して固定されている。固定方法は、両端にねじ山の加工が施された、固定ボルト２４を用いて固定されている。この固定方法は、棟木に固定された固定ボルト２４に支持体１２を貫通させ、支持体１２の上下方向からナットで固定する支持体固定構造を採用している。この支持体１２は、断面矩形の木材が用いられている。この固定方法は、固定ボルト２４を用いて行うことに限定されない。通称「昭和ボルト」と呼ばれる固定ボルトを用いることで、棟木２２に直接的に固定ボルトをねじ込ませることも可能である。
【００１７】
この支持体１２には図２に示すように、支持体１２の両側面に幅１．５センチメートル、深さ０．５センチメートルの縦溝２６が設けられている。この縦溝２６は、支持体１２の長手方向に５センチメートルのピッチ間隔で、支持体１２の両側面に設けられている。
【００１８】
棟木２２の上方には、瓦桟に固定された棟下桟瓦１４が、棟木２２を中心として、左右対称に設けられている。
【００１９】
図３（ａ）は本発明における面戸瓦１６の断面図、図３（ｂ）は面戸瓦１６の平面図である。この面戸瓦１６の構造は、図３に示すように、略平板状に形成された傾斜部２８ａと、傾斜部２８ａの棟側の端部を支持体１２に固定するための固定部３０ａと、傾斜部２８ａの軒側の端部を棟下桟瓦１４に当接させる垂下片３２とによって構成されている。
【００２０】
詳しくは、この面戸瓦１６の傾斜部２８ａの棟側には、傾斜部２８ａに対して略垂直に立ち上がった固定部３０ａが設けられている。この固定部３０ａには、面戸瓦１６を支持体１２に固定するための直径６ミリメートルの貫通孔４０が３箇所設けられている。また、この面戸瓦１６の傾斜部２８ａの軒側には、傾斜部２８ａに対して略垂直に垂れ下がるようにして垂下片３２が設けられている。この垂下片３２の端部には、棟下桟瓦１４の瓦面の谷部に嵌りこむ当接部３２ａが設けられている。
【００２１】
この面戸瓦１６は、図１及び図２に示すように、棟下桟瓦１４の瓦面の谷部に垂下片３２の当接部３２ａを嵌め込ませるようにして、面戸瓦１６が棟下桟瓦１４の上に載置されている。この面戸瓦１６は大棟における最上段の棟下桟瓦１４の上に、左右１枚ずつ載置され、面戸瓦１６の固定部３０ａが支持体１２の側面の下部に固定されている。
【００２２】
図４（ａ）は本発明における熨斗瓦１８の断面図、図４（ｂ）は熨斗瓦１８の平面図である。この熨斗瓦１８の構造は、図４に示すように、略平板状に形成された傾斜部２８ｂと、傾斜部２８ｂの棟側の端部を支持体１２に固定するための固定部３０ｂと、傾斜部２８ｂの軒側の端部を緩やかに湾曲させた縁端部３４によって構成されている。
【００２３】
詳しくは、この熨斗瓦１８の傾斜部２８ｂの棟側には、傾斜部２８ｂに対して略垂直に立ち上がった固定部３０ｂが設けられている。この固定部３０ｂには、熨斗瓦１８を支持体１２に固定するための直径６ミリメートルの貫通孔４０が３箇所設けられている。また、この熨斗瓦１８の傾斜部２８ｂの軒側には、下側に緩やかに湾曲させた縁端部３４が設けられている。
【００２４】
この熨斗瓦１８は、図１に示すように、支持体１２を中心として左右対称に３段ずつ積み重ねられている。本発明においては、この熨斗瓦１８が３段に積み重ねられていることを段組構造と表現している。この段組構造における最下段の熨斗瓦１８は、面戸瓦１６の上に載置され、固定部３０ｂが支持体１２に固定されている。このとき、固定部３０ｂは支持体１２と密接させず、固定部３０ｂ上端が支持体１２から離れて、固定部３０ｂが支持体１２に固定されている。
【００２５】
冠瓦２０は、図１に示すように、段組構造における最上段の左右の熨斗瓦１８と、その間にある支持体１２とを覆うように弓形に形成されている。この冠瓦２０は、上述の段組構造における、最上段の熨斗瓦１８の間に架設されている。
【００２６】
次に、本発明における棟部の瓦組構造１０の施工方法について図１を参照して説明する。まず、棟木２２の幅方向の中央に、垂直方向に貫通する穴を開ける。その穴に固定ボルト２４を挿入し、棟木２２の下面位置において、固定ボルト２４に平ワッシャーを挿入し、ナットで締め付けることで、固定ボルト２４を棟木２２に固定する。また、棟木２２の上面位置においても、固定ボルト２４に平ワッシャ−を挿入し、ナットで棟木２２を締め付け固定している。よって、棟木２２の上下方向から、ナットを締め付けることで、固定ボルト２４を棟木２２に固定している。
【００２７】
次に、上述の固定ボルト２４にナットと平ワッシャーを挿入して、後から固定ボルト２４に挿入する支持体１２の下端位置を決定する。そして、予め垂直方向に貫通する穴を開けてある支持体１２を、上述の固定ボルト２４に挿入して、平ワッシャーを挿入し、ナットで締め付けることで、固定ボルト２４に支持体１２を固定する。これにより、支持体１２は棟木２２に固定されることになる。
【００２８】
次に、面戸瓦１６の垂下片３２における当接部３２ａを、棟下桟瓦１４の瓦面の谷部に嵌め込むようにして、棟下桟瓦１４に当接させる。面戸瓦１６の固定部３０ａを支持体１２の側面の下部に押し当てる。面戸瓦１６の固定部３０ａに設けられた貫通孔４０に、シリコンゴムで形成された平ワッシャ−が嵌め込まれたステンレス製のビス（以下「固定ビス３６」と略す）を挿通する。固定ビス３６を電動ドリルでねじ込み、面戸瓦１６を支持体１２に固定する。この工程を支持体１２の左右両側面について行う。支持体１２の左右下端に面戸瓦１６が固定される。
【００２９】
次に、熨斗瓦１８の固定部３０ｂを支持体１２に押し当てる。この熨斗瓦１８を上述の面戸瓦１６の上方に位置させる。面戸瓦１６の固定部３０ｂに設けられた貫通孔４０に、固定ビス３６を挿通する。固定ビス３６を電動ドリルでねじ込み、熨斗瓦１８を支持体１２に固定する。このとき、固定部３０ｂの上端を支持体１２に密接させないように固定する。これにより、熨斗瓦１８の固定部３０ｂの上端と支持体１２との間に隙間が生じる。よって、熨斗瓦１８は、緑端部３４が可動することができ、地震や台風により熨斗瓦１８に外部から力が加わったとしても、熨斗瓦１８自体が割れることなく、揺れを吸収することができる。また、固定ビス３６に嵌め込まれたシリコンゴムにより、この揺れを吸収する効果を更に向上させている。
【００３０】
支持体１２の左右両側面に固定された熨斗瓦１８の上部に、さらに片側２枚づつの熨斗瓦１８を重ね積みし、支持体１２に固定することで、熨斗瓦１８の段組構造を形成する。こうして、片側３枚、左右合わせて計６枚の熨斗瓦１８を積み重ねて支持体１２に固定することで、熨斗瓦１８の段組構造を形成する。
【００３１】
上述の熨斗瓦１８の段組構造における、最上段の熨斗瓦１８の間に、冠瓦２０を架設する。そして、冠瓦２０の頂部分に開けられた穴に固定ビス３６をねじ込むことにより、冠瓦２０を支持体１２に固定する。また、この冠瓦２０を固定する方法は、固定ビス３６を用いることに限定されない。銅製の針金を用いて支持体１２に固定する方法でも良い。
【００３２】
上述の棟部における瓦組構造１０の施工方法は、それぞれ断面図を用いて説明していることから、瓦組構造１０における垂直方向の順で説明している。当然ながら、家屋における棟部は、奥行き方向にも瓦組が施工されている。よって、面戸瓦１６を奥行き方向に施工した後に、熨斗瓦１８の施工段階に進むというように、各施工段階を奥行き方向に施工した後に、次の施工段階に進んでいる。
【００３３】
図２に示すように、最下段の熨斗瓦１８を施工した後、その熨斗瓦１８の上に載置する熨斗瓦１８は、半ピッチずらして施工されている。よって、熨斗瓦１８の段組構造が形成されると、その段組構造の外観は、各段ごとの熨斗瓦１８が半ピッチずれた模様を呈している。
【００３４】
次に、本実施の形態における作用を説明する。本発明による棟部の瓦組構造１０においては、面戸瓦１６、熨斗瓦１８、冠瓦２０がそれぞれ支持体１２に固定ビス３６で固定されている。よって、地震により家屋が揺れても、棟部における瓦組構造１０は、ずれることはなく面戸瓦１６、熨斗瓦１８、冠瓦２０が屋根下に落下することはない。
【００３５】
また、本発明における棟部の瓦組構造１０の施工方法においては、棟土を使用しないので、練った重い棟土を家屋の棟部まで運び上げる必要がない。よって、その棟土を運び上げる労力が軽減される。また、棟土を使用しない工法を採用することにより、土葺きの施工に必要な熟練した技術を必要としない。また、棟土は原材料を吟味して練り合わせた後、１年以上寝かしたものを使用していたが、本実施の形態においては、棟土を使用しないので、そのような手間はかからない。
【００３６】
更には、支持体１２に縦溝２６が設けられることにより、この縦溝２６から空気が自在に出入りすることが出来るので、屋根裏の通気性が良くなる。また、同時に、野地板と桟瓦との間の空間の通気性も良くなるので、野地板の腐敗を未然に防止することができる。
【００３７】
本発明における第２の実施の形態を、図を用いて説明する。図５は隅棟の瓦組構造を説明するための側面図である。隅棟とは入母屋、寄棟での隅部分の棟を示す。この隅棟部分の棟下桟瓦１４は、棟下桟瓦１４の谷部の溝方向に対して４５度の角度で切断されている。この切断されている辺は隅棟部側に向けて施工されている。
【００３８】
この第２の実施の形態においては、第１の実施の形態と異なる形状の隅棟用面戸瓦３８が用いられている。隅棟部分は地面に向けて斜めに下って施工されているので、この隅棟を中心に見て、左右の位置に施工される面戸瓦の形状が異なる。本実施の形態においては、隅棟を中心に見て、右側の棟下桟瓦１４の上に載置する面戸瓦を右面戸瓦３８ａ、左側の棟下桟瓦１４の上に載置する面戸瓦を左面戸瓦３８ｂと呼ぶ。また、本実施形態においては、瓦組構造に用いられている熨斗瓦は、第１の実施の形態における熨斗瓦１８と同じ物を使用している。図５は隅棟の左側の側面図である。
【００３９】
図６（ａ）は、左面戸瓦３８ｂの断面図である。図６（ｂ）は右面戸瓦３８ａの平面図である。図６（ｃ）は左面戸瓦３８ｂの平面図である。隅棟用面戸瓦３８は、第１の実施の形態における面戸瓦１６と同様に、傾斜部２８ｃ、固定部３０ｃ、垂下片３３、当設部３３ａで構成されている。
【００４０】
図６（ｂ）及び（ｃ）に示すように、傾斜部２８ｃの長手方向の両端は、傾斜部２８ｃの長手方向に対して４５度の角度が付けられている。右面戸瓦３８ａは傾斜部２８ｃの長手方向に対して、図６（ｂ）でいう右下方向に４５度の角度が付けられている。左面戸瓦３８ｂは傾斜部２８ｃの長手方向に対して、図６（ｃ）でいう左下の方向に４５度の角度がつけられている。
【００４１】
隅棟用面戸瓦３８における垂下片３３には、棟下桟瓦１４の谷部に嵌りこむように当接部３３ａが設けられている。
【００４２】
この隅棟用面戸瓦３８は、第１の実施の形態と同様に、固定部３０ｃに設けられた貫通孔４０に固定ビス３６を挿通し、電動ドリルで固定ビス３６をねじ込むことで、支持体１２に固定されている。隅棟の左側は左面戸瓦１６が使用され、右側は右面戸瓦１６が使用されている。熨斗瓦１８も、第１の実施の形態と同様に、片側３段に段組固定されている。
【００４３】
この隅棟部の瓦組構造の施工方法は、第１の実施の形態における瓦組構造１０の施工方法と同じである。本発明の棟部の瓦組構造１０、及び棟部の瓦組構造１０の施工方法は、隅棟においても使用可能である。本発明による隅棟部の瓦組構造１０においては、隅棟用面戸瓦３８、熨斗瓦１８、冠瓦２０がそれぞれ支持体１２に固定ビス３６で固定されている。よって、地震により家屋が揺れても、棟部における瓦組は、ずれることはなく隅棟用面戸瓦３８、熨斗瓦１８、冠瓦２０が屋根下に落下することはない。また、本発明における隅棟部の瓦組構造の施工方法においては、棟土を使用しないので、練った重い棟土を家屋の棟部まで運び上げる必要がない。更には、支持体１２に縦溝２６が設けられることにより、この縦溝２６から空気が自在に出入りすることが出来るので、屋根裏の通気性が良くなる。また、同時に、野地板と桟瓦との間の空間の通気性も良くなるので、野地板の腐敗を未然に防止することができる。
【００４４】
以上、本発明による棟部の瓦組構造１０、及び棟部の瓦組構造１０の施工方法について、図面に基づいて説明したが、本発明は、図示した例示に限定されるものではない。
【００４５】
また、支持体１２の形状も矩形に限定されず、図７で示すように、建物の棟木２２の上部に棟木２２と平行に固定されている横木４２と、２枚の平板の上端部を重ね合わせ、下端部で横木を挟むように形成された留め部材４４により構成される構造を採用してもよい。
【００４６】
このような支持体１２の構造においては、熨斗瓦１８の段組構造を、図７に示されるように、側面を斜めに積み上げることができる。よって、すっきりとした外観の棟部の瓦組構造１０を得ることができる。
【００４７】
また、支持体１２の構造を、図８で示すように、矩形形状の支持部材における両側面の下端に、棟木２２と平行に断面方形の留め木４６を固定する構造を採用してもよい。このような支持体１２の構造においては、熨斗瓦１８をより高く積み上げることができる。
【００４８】
本発明は、その趣旨を逸脱しない範囲で当業者の知識に基づき種々なる改良、修正、変形を加えた態様で実施できるものである。
【００４９】
【発明の効果】
本発明では、棟木に固定された支持体に、面戸瓦、及び熨斗瓦を固定する構造を採用している。これにより、棟土を使用せずに、棟部の瓦組構造を構成することができる。つまり、練った重い棟土を家屋の棟部まで運び上げる必要がない。よって、その棟土を運び上げる労力が軽減される。また、棟土を使用しない工法を採用することにより、土葺きの施工に必要な熟練した技術を必要としない。また、棟土は原材料を吟味して練り合わせた後、１年以上寝かしたものを使用していたが、本発明においては、棟土を使用しないので、そのような手間はかからない。よって、上記の理由により、建設コストを安くすることができる。
【００５０】
また、本発明では、面戸瓦は、面戸瓦の当接部が棟下桟瓦の谷部と隙間無く接することから、棟下桟瓦の表面から逆流した雨水が棟部に浸入することは少ない。また、熨斗瓦、及び面戸瓦においては、固定部がこれらの瓦に対して垂直に設けられている。よって、もし雨水が、熨斗瓦、及び面戸瓦の表面を伝って逆流してきた場合であっても、固定部によって阻止されることから、支持体にまで雨水が伝わることは無い。よって、棟部に雨水が浸入することがない。
【００５１】
また、本発明では、支持体に一定の間隔で縦溝が設けてあることから、棟部、又は野地板と桟瓦との間の空間における換気を十分に行うことができる。よって、湿度の高い地域においては、十分に湿度の調節を行うことができるので、建物の寿命を延ばす効果が得られる。
【００５２】
また、本発明では、面戸瓦、及び熨斗瓦をビス等で固定する構造を採用している。よって、従来の施工方法による大まわし等のように、緊結線を用いた施工を行わないことから、台風による強風によって緊結線が切れて棟部の瓦組構造が崩れ落ちることはない。同様に、地震により緊結線が切れて棟部の瓦組構造が崩れ落ちることはない。さらに、経年変化による緊結線の切断により、棟部の瓦組構造が崩れ落ちることはない。
【図面の簡単な説明】
【図１】本発明における大棟部の瓦組構造を示す断面図である。
【図２】本発明における大棟部の瓦組構造を示す側面図である。瓦組構造のうち、冠瓦は省略してある。
【図３】本発明における面戸瓦の図である。（ａ）は面戸瓦の断面図、（ｂ）は面戸瓦の平面図である。
【図４】本発明における熨斗瓦の図である。（ａ）は熨斗瓦の断面図、（ｂ）は熨斗瓦の平面図である。
【図５】本発明における、隅棟部の瓦組構造を示す側面図である。瓦組構造のうち、冠瓦は省略してある。
【図６】本発明における、隅棟用面戸瓦を示す図である。（ａ）は隅棟用面戸瓦の断面図、（ｂ）は右面戸瓦の平面図、（ｃ）は左面戸瓦の平面図である。
【図７】本発明における、他の瓦組構造を示す断面図である。留め部材と横木により構成される支持体を示している。
【図８】本発明における、他の瓦組構造を示す断面図である。支持体の両側に留め木を用いた構成を示している。
【図９】従来の棟部の瓦組構造である、通称「大まわし」の断面図である。
【符号の説明】
１０：瓦組構造
１２：支持体
１４：棟下桟瓦
１６：面戸瓦
１８：熨斗瓦
２０：冠瓦
２２：棟木
２４：固定ボルト
２６：縦溝
２８：傾斜部
２８ａ：面戸瓦の傾斜部
２８ｂ：熨斗瓦の傾斜部
２８ｃ：隅棟用面戸瓦の傾斜部
３０：固定部
３０ａ：面戸瓦の固定部
３０ｂ：熨斗瓦の固定部
３０ｃ：隅棟用面戸瓦の固定部
３２：垂下片
３２ａ：面戸瓦の当接部
３３：隅棟用面戸瓦の垂下片
３３ａ：隅棟用面戸瓦の垂下片における当接部
３４：緑端部
３６：固定ビス
３８：隅棟用面戸瓦
３８ａ：右面戸瓦
３８ｂ：左面戸瓦
４０：貫通孔
４２：横木
４４：留め部材
４６：留め木
【図１】
0003859136.tif 000002
【図２】
0003859136.tif 000003
【図３】
0003859136.tif 000004
【図４】
0003859136.tif 000005
【図５】
0003859136.tif 000006
【図６】
0003859136.tif 000007
【図７】
0003859136.tif 000008
【図８】
0003859136.tif 000009
【図９】
0003859136.tif 000010